Podtech/llm-jp-corpus-v4-ja_patent huggingface dataset:
【手続補正書】
【提出日】平成21年11月19日(2009.11.19)
【手続補正１】
【補正対象書類名】特許請求の範囲
【補正対象項目名】全文
【補正方法】変更
【補正の内容】
【特許請求の範囲】
【請求項１】
出血している創傷のための閉鎖物であって、出血を止めるために創傷に適用するのに適した基質を含み、前記基質に、マトリックスタンパク質、光活性化可能な金属−配位子錯体および電子受容体のうちの１つまたは複数を浸透させる、または前記基質を、マトリックスタンパク質、光活性化可能な金属−配位子錯体および電子受容体のうちの１つまたは複数でコートする閉鎖物。
【請求項２】
マトリックスタンパク質が、フィブリノーゲン、フィブリン、コラーゲン、フィブロネクチン、ケラチンおよびラミニン、またはそれらの混合物からなる群から選択される、請求項１に記載の閉鎖物。
【請求項３】
マトリックスタンパク質が、フィブリノーゲン、フィブリン、コラーゲンおよびフィブロネクチン、またはそれらの混合物からなる群から選択される、請求項２に記載の閉鎖物。
【請求項４】
マトリックスタンパク質が、フィブリノーゲンである、請求項３に記載の閉鎖物。
【請求項５】
光活性化可能な金属−配位子錯体が、Ｒｕ（ＩＩ）錯体、Ｐｄ（ＩＩ）錯体、Ｃｕ（ＩＩ）錯体、Ｎｉ（ＩＩ）錯体、Ｍｎ（ＩＩ）錯体またはＦｅ（ＩＩＩ）錯体である、請求項１から４のいずれか一項に記載の閉鎖物。
【請求項６】
錯体が、Ｒｕ（ＩＩ）ビピリジル錯体、Ｐｄ（ＩＩ）ポルフィリン錯体、スルホナトフェニルＭｎ（ＩＩ）錯体またはＦｅ（ＩＩＩ）プロトポルフィリン錯体である、請求項５に記載の閉鎖物。
【請求項７】
錯体が、トリス（ビピリジル）Ｒｕ（ＩＩ）錯体である、請求項６に記載の閉鎖物。
【請求項８】
錯体が、二塩化トリス（ビピリジル）Ｒｕ（ＩＩ）である、請求項７に記載の閉鎖物。
【請求項９】
電子受容体が、過硫酸塩化合物、過ヨウ素酸塩化合物、過臭素酸塩化合物または過塩素酸塩化合物である、請求項１から８のいずれか一項に記載の閉鎖物。
【請求項１０】
電子受容体が、過硫酸塩化合物である、請求項９に記載の閉鎖物。
【請求項１１】
電子受容体が、過硫酸アンモニウムまたは過硫酸ナトリウムである、請求項１０に記載の閉鎖物。
【請求項１２】
薬物またはその他の治療剤をさらに含む、請求項１から１１のいずれか一項に記載の閉鎖物。
【請求項１３】
基質が、コラーゲンのシート、包帯、ガーゼ、布、タンポン、膜またはスポンジである、請求項１から１２のいずれか一項記載の閉鎖物。
【請求項１４】
マトリックスタンパク質と、光活性化可能な金属−配位子錯体と、電子受容体とを含む組成物。
【請求項１５】
マトリックスタンパク質が、フィブリノーゲン、フィブリン、コラーゲン、フィブロネクチン、ケラチンおよびラミニン、またはそれらの混合物からなる群から選択される、請求項１４に記載の組成物。
【請求項１６】
マトリックスタンパク質が、フィブリノーゲン、フィブリン、コラーゲンおよびフィブロネクチン、またはそれらの混合物からなる群から選択される、請求項１５に記載の組成物。
【請求項１７】
マトリックスタンパク質が、フィブリノーゲンである、請求項１６に記載の組成物。
【請求項１８】
光活性化可能な金属−配位子錯体が、Ｒｕ（ＩＩ）錯体、Ｐｄ（ＩＩ）錯体、Ｃｕ（ＩＩ）錯体、Ｎｉ（ＩＩ）錯体、Ｍｎ（ＩＩ）錯体またはＦｅ（ＩＩＩ）錯体である、請求項１４から１７のいずれか一項に記載の組成物。
【請求項１９】
錯体が、Ｒｕ（ＩＩ）ビピリジル錯体、Ｐｄ（ＩＩ）ポルフィリン錯体、スルホナトフェニルＭｎ（ＩＩ）錯体またはＦｅ（ＩＩＩ）プロトポルフィリン錯体である、請求項１８に記載の組成物。
【請求項２０】
錯体が、トリス（ビピリジル）Ｒｕ（ＩＩ）錯体である、請求項１９に記載の組成物。
【請求項２１】
錯体が、二塩化トリス（ビピリジル）Ｒｕ（ＩＩ）である、請求項２０に記載の組成物。
【請求項２２】
電子受容体が、過硫酸塩化合物、過ヨウ素酸塩化合物、過臭素酸塩化合物または過塩素酸塩化合物である、請求項１４から２１のいずれか一項に記載の組成物。
【請求項２３】
電子受容体が、過硫酸塩化合物である、請求項２２に記載の組成物。
【請求項２４】
電子受容体が、過硫酸アンモニウムまたは過硫酸ナトリウムである、請求項２３に記載の組成物。
【請求項２５】
薬物またはその他の治療剤をさらに含む、請求項１４から２４のいずれか一項に記載の組成物。
【請求項２６】
不活性な担体をさらに含む、請求項１４から２５のいずれか一項に記載の組成物。
【請求項２７】
マトリックスタンパク質と、光活性化可能な金属−配位子錯体と、電子受容体とを含むキット。
【請求項２８】
光源をさらに含む、請求項２７に記載のキット。
【請求項２９】
創傷の閉鎖物をさらに含む、あるいはマトリックスタンパク質、光活性化可能な金属−配位子錯体および電子受容体のうちの１つもしくは複数を、あらかじめ浸透させた、またはマトリックスタンパク質、光活性化可能な金属−配位子錯体および電子受容体のうちの１つもしくは複数で、あらかじめコートした創傷の閉鎖物を含む、請求項２７または２８のいずれか一項に記載のキット。
【請求項３０】
組織を結合させるかつ／または密閉するための医薬品の製造における、マトリックスタンパク質、光活性化可能な金属−配位子錯体および／または電子受容体の使用であって、組織部分に照射して、前記光活性化可能な金属−配位子錯体を光活性化し、それによって、前記マトリックスタンパク質の架橋結合反応を開始させて、前記組織部分を密閉する、または前記組織部分を隣接する組織部分に結合させる使用。
【手続補正書】
【提出日】平成22年1月26日(2010.1.26)
【手続補正１】
【補正対象書類名】特許請求の範囲
【補正対象項目名】全文
【補正方法】変更
【補正の内容】
【特許請求の範囲】
【請求項１】
制御可能で、フィールド感応性転写制御要素を直接的にまたは間接的に制御する制御シグナルを出力する遺伝子制御シグナル伝達装置と、
上記遺伝子制御シグナル伝達装置に結合され、感知された生理学的なパラメータまたはコマンドに少なくとも基づいて上記制御シグナルの出力を制御するように適合化されたコントローラとを含み、
上記遺伝子制御シグナル伝達装置は、所定の周波数および強度を有する電磁気フィールドを出力するようになっている電磁気フィールド発生器および熱エネルギーを出力するようになっている熱放射器を備えているシステム。
【請求項２】
さらに、上記コントローラに結合され、生理学的なパラメータのセンサを含み、
上記センサは、所定の状態を示す生理学的なパラメータを感知するようになっている請求項１に記載のシステム。
【請求項３】
上記所定の状態は、心臓の状態である請求項２に記載のシステム。
【請求項４】
上記心臓の状態は、心筋の虚血、心筋の再灌流、または心筋の再建である請求項３に記載のシステム。
【請求項５】
上記コントローラに結合され、上記コマンドを受け取るようになっている遠隔伝送モジュールをさらに含む請求項１ないし４の何れか１項に記載のシステム。
【請求項６】
上記感知された生理学的なパラメータから所定の状態を検出するための事象検出器をさらに含み、
上記コントローラは、上記所定の状態の検出に対応して、上記制御シグナルの出力を制御するようになっている請求項２ないし５の何れか１項に記載のシステム。
【請求項７】
上記センサは、虚血を示す生理学的なパラメータを感知するセンサを備え、
上記事象検出器は、虚血検出器を備える請求項６に記載のシステム。
【請求項８】
上記センサは、組織のインピーダンスを感知するためのインピーダンスセンサを備える請求項２ないし７の何れか１項に記載のシステム。
【請求項９】
上記センサは、心臓の代謝レベルを示す信号を感知するようになっている代謝センサを備える請求項２ないし８の何れか１項に記載のシステム。
【請求項１０】
上記センサは、ｐＨセンサ、酸素圧（ＰＯ2）センサ、二酸化炭素圧（ＰＣＯ2）センサ、グルコースセンサ、クレアチンセンサ、Ｃ−反応性プロテインセンサ、クレアチンキナーゼセンサ、およびクレアチンキナーゼ−ＭＢセンサの少なくとも１つを備える請求項２ないし９の何れか１項に記載のシステム。
【請求項１１】
埋め込み型の医療用装置システムを含み、
上記埋め込み型の医療用装置システムは、
所定の状態を示す生理学的なパラメータを感知するためのセンサと、
外部コマンドを受け取るための埋め込み型の遠隔伝送モジュールと、
制御可能で、フィールド感応性転写制御要素を直接的にまたは間接的に制御する制御シグナルを出力する遺伝子制御シグナル伝達装置と、
上記センサおよび上記埋め込み型の遠隔伝送モジュールに結合され、感知された生理学的なパラメータおよび外部コマンドのうちの少なくとも１つに基づいて上記制御シグナルの出力を制御するように適合化された遺伝子発現制御モジュールを備えている埋め込み型のコントローラと、
上記外部コマンドを上記埋め込み型の遠隔伝送モジュールに伝送するための外部遠隔伝送モジュールを備えている外部システムとを含み、
上記遺伝子制御シグナル伝達装置は、所定の周波数および強度を有する電磁気フィールドを出力するようになっている電磁気フィールド発生器および熱エネルギーを出力するようになっている熱放射器を備えているシステム。
【請求項１２】
上記埋め込み型の医療用装置システムは、さらに、
上記感知された生理学的なパラメータから所定の状態を検出するための事象検出器を含み、
上記埋め込み型のコントローラは、上記所定の状態および上記外部コマンドの少なくとも１つに対応して、上記制御シグナルの出力を制御するようになっている請求項１１に記載のシステム。
【請求項１３】
上記センサは、虚血を示す生理学的なパラメータを感知するセンサを備え、
上記事象検出器は、虚血検出器を備える請求項１２に記載のシステム。
【請求項１４】
上記センサは、組織のインピーダンスを感知するためのインピーダンスセンサを備える請求項１１ないし１３の何れか１項に記載のシステム。
【請求項１５】
上記センサは、心臓の代謝レベルを示す信号を感知するようになっている代謝センサを備える請求項１１ないし１４の何れか１項に記載のシステム。
【請求項１６】
上記埋め込み型の医療用装置システムは、さらに、
上記埋め込み型のコントローラに結合された、ペーシング回路を備え、
上記埋め込み型のコントローラは、上記制御シグナルの出力と共に、必要に応じて各ペーシングパルスの伝達を制御するようになっているペーシング制御モジュールを備えている請求項１１ないし１５の何れか１項に記載のシステム。
【請求項１７】
上記外部システムは、上記感知された生理学的なパラメータを表示するための表示デバイスと、上記外部コマンドを受け取るためのユーザ入力デバイスとを備える請求項１１ないし１５の何れか１項に記載のシステム。
【請求項１８】
翻訳領域に動作可能にリンクされた制御可能でフィールド感応性転写制御要素を含む発現カセットを含み、
上記転写制御要素は、熱エネルギーおよび所定の周波数および強度を有する電磁気エネルギーに感応性である、薬学的組成物。
【請求項１９】
上記発現カセットは、組み換えウイルス内またはドナー細胞内にある請求項１８に記載の組成物。
【請求項２０】
上記翻訳領域の発現は、神経再生、骨成長、または傷治療を変化させるか、あるいは虚血障害または再灌流障害を抑制する請求項１８に記載の組成物。
【請求項２１】
上記組成物は、心臓の内部または心臓上、あるいは血管の内部または血管上に埋め込まれるようにされたシステムの一部である、請求項１８ないし２０の何れか１項に記載の組成物。
【請求項２２】
上記制御可能なフィールド感応性転写制御要素は、熱ショック性プロテインプロモータを含む請求項１８ないし２１の何れか１項に記載の組成物。
【請求項２３】
上記翻訳領域は、成長因子、Ａｋｔ、低酸素状態にて活性化される因子、または、ペースメーカイオンチャネルをコードするものである請求項１８ないし２２の何れか１項に記載の組成物。
【手続補正書】
【提出日】平成22年2月9日(2010.2.9)
【手続補正１】
【補正対象書類名】特許請求の範囲
【補正対象項目名】全文
【補正方法】変更
【補正の内容】
【特許請求の範囲】
【請求項１】
個体から得た試料中で、異常な染色体立体構造の存在を判定する段階を含む、個体における異常な遺伝子発現の検出によって癌を検出する方法であって、該異常な染色体立体構造が
（i）正常な発現の過程では存在しない新規の並列の存在、または
（ii）正常な遺伝子発現の過程で存在する少なくとも一つの並列の不在
によって特徴付けられ、該並列が遺伝子の2つの離れた領域のものであり、それによって個体が癌を有するかどうかを検出する、方法。
【請求項２】
該染色体立体構造が、ループ状のまたは位相的に閉じた構造である、請求項1記載の方法。
【請求項３】
癌に関連する2種類以上の遺伝子が、癌の種類を判定するために解析され、かつ/または、解析される遺伝子の少なくとも1種類が、異常な発現が起こっている組織の同定を可能にする組織特異的な遺伝子である、前記請求項のいずれか一項記載の方法。
【請求項４】
遺伝子中のCCマーカーとの結合により遺伝子中の配列が並列しているかどうかを判定することによって染色体立体構造を検出する段階を含む方法であって、および／または並列が
-並列しているDNAを架橋させること、続いて
-任意で配列に基づく検出方法により、架橋したDNAを検出すること
により検出され、該CCマーカーが5〜30ヌクレオチド長である、前記請求項のいずれか一項記載の方法。
【請求項５】
DNAの架橋の後に、
-架橋したDNAを制限酵素消化に供し、
-消化された構造をライゲーションに供し、かつ
-ライゲーションされた構造を分析/検出する、
請求項4記載の方法。
【請求項６】
ライゲーションされた構造の分析が、遺伝子中には存在しないがライゲーションされた構造中に存在するDNA配列の検出を含む、請求項5記載の方法。
【請求項７】
ライゲーションされた構造中に存在するDNA配列が、配列決定またはPCRによって検出され、ライゲーションされた配列を鋳型として用いてプライマーがPCR生成物の形成に成功するが、同じPCR条件下で遺伝子の配列は増幅しないPCR反応を用いて、ライゲーションされた配列の存在が検出される、請求項6記載の方法。
【手続補正書】
【提出日】平成21年11月27日(2009.11.27)
【手続補正１】
【補正対象書類名】特許請求の範囲
【補正対象項目名】全文
【補正方法】変更
【補正の内容】
【特許請求の範囲】
【請求項１】
０．１〜１．５０μｍの範囲の平均グレイン（grain）サイズを有し、０．１〜１．５０μｍのサイズ範囲のミクロ孔を有する多孔性および１０〜４０％の範囲のミクロ孔の表面積百分率を有する多孔性骨誘導性リン酸カルシウム物質。
【請求項２】
少なくとも４０％のタンパク質吸着能力を有し、ここで該能力は、２５ｐｐｍのアジ化ナトリウム（ＮａＮ３）の存在下におけるウシ胎仔血清（ＦＢＳ）の１％水溶液の３ｍｌの体積から、該リン酸カルシウムの１ｍｌの体積により３７℃で２４時間後に吸収されたタンパク質の百分率として表される、請求項１に記載の多孔性リン酸カルシウム。
【請求項３】
実質的にミクロ孔だけから成る多孔度を有する、請求項１又は２に記載の多孔性リン酸カルシウム。
【請求項４】
該物質が、約５０〜約１５００μｍの粒子サイズを有する微小粒子の形態である、請求項１〜３のいずれか１項に記載の多孔性リン酸カルシウム。
【請求項５】
該微小粒子が、約２００〜約３００μｍの粒子サイズを有する、請求項４に記載の多孔性リン酸カルシウム。
【請求項６】
該リン酸カルシウムが、リン酸オクタカルシウム、アパタイト、例えばヒドロキシアパタイト及びカーボネートアパタイト、ウィットロッカイト、例えばリン酸β−トリカルシウム及びリン酸α−トリカルシウム、及びそれらの組み合わせから成る群から選ばれる、請求項１〜５のいずれか１項に記載の多孔性リン酸カルシウム。
【請求項７】
該リン酸カルシウムが吸収可能な二相性リン酸カルシウム（ＢＣＰ）又は吸収可能なリン酸トリカルシウムである、請求項１〜６のいずれか１項に記載の多孔性リン酸カルシウム。
【請求項８】
医療的移植物材料又は組織足場として用いる為の、請求項１〜７のいずれか１項に記載の多孔性リン酸カルシウム。
【請求項９】
生きている生物中の骨組織の形成を誘導する為に、請求項１〜８のいずれか１項に定義された多孔性リン酸カルシウムを使用する方法。
【請求項１０】
非骨部分における自己由来の骨の産生の為に、移植物材料として単独で又は成長因子若しくは／及び細胞と組合せて、請求項１〜８のいずれか１項に定義された多孔性リン酸カルシウムを使用する方法。
【請求項１１】
医療的移植物又は装置の製造の為に、請求項１〜８のいずれか１項に定義された多孔性リン酸カルシウムを単独で又は成長因子若しくは／及び細胞と組合せて使用する方法。
【請求項１２】
歯科の手術における、請求項９〜１１のいずれか１項に記載の使用方法。
【請求項１３】
多孔性骨誘導性リン酸カルシウムセラミックを製造する方法であって、水中に、１．０〜８．０μｍの粒子サイズを有するリン酸カルシウム粉、発泡剤及び任意的に孔形成剤の水性スラリーを用意すること；該スラリーの発泡を引き起こす条件に該スラリーを付すること；得られた発泡したスラリーを乾燥し、任意的に孔形成剤を除去して、多孔性の素地を用意すること、及び１０５０℃〜１１５０℃の温度で該多孔性の素地を焼結して多孔性の焼結リン酸カルシウムを用意すること；並びに任意的に該焼結リン酸カルシウムを粒子へと粉砕しそして約５０〜約１５００μｍの粒子サイズを有する粒子を集めることを含む、上記方法。
【請求項１４】
該粒子が、２１２及び３００μｍのふるいを用いて集められる、請求項１３に記載の方法。
【請求項１５】
該リン酸カルシウム粉が、０．０１〜１．０μｍの結晶サイズを有する結晶から構成される、請求項１３又は１４に記載の方法。
【請求項１６】
該発泡剤が過酸化水素である、請求項１３〜１５のいずれか１項に記載の方法。
【請求項１７】
該孔形成剤がナフタレン粒子を含み、且つ該孔形成剤が８０〜１１０℃で蒸発により除去される、請求項１３〜１６のいずれか１項に記載の方法。
【請求項１８】
該スラリーの発泡を引き起こす該条件が、約５０〜７０℃へ該スラリーを加熱することを含む、請求項１３〜１７のいずれか１項に記載の方法。
【請求項１９】
該スラリーの発泡が多孔性の素地を産生する、請求項１３〜１８のいずれか１項に記載の方法。
【請求項２０】
該乾燥され且つ発泡されたスラリーが、ＴＣＰの場合には１０５０〜１１００℃の温度で焼結され、又はＨＡ及び／若しくはＢＣＰの場合には１１００〜１１５０℃の温度で焼結される、請求項１３〜１９のいずれか１項に記載の方法。
【請求項２１】
該リン酸カルシウム粉が、ＴＣＰ又はＢＣＰ粉である、請求項１３〜２０のいずれか１項に記載の方法。
【請求項２２】
該集められた微小粒子が次に、アセトン、エタノール及び／又は水により超音波的に洗浄され、そして任意的に乾燥され及び滅菌される、請求項１３〜２１のいずれか１項に記載の方法。
【請求項２３】
該リン酸カルシウム粉が、不規則な形を有する、オーブン乾燥され粉砕された粉である、請求項１３〜２２のいずれか１項に記載の方法。
【請求項２４】
請求項１３〜２３のいずれか１項に記載の方法により入手可能である多孔性骨誘導性リン酸カルシウム。
【請求項２５】
該微小粒子が、２１２〜３００μｍの粒子サイズを有する、請求項４に記載の多孔性リン酸カルシウム。
【請求項２６】
該リン酸カルシウムがリン酸β−トリカルシウムである、請求項１〜６のいずれか１項に記載の多孔性リン酸カルシウム。
【請求項２７】
該リン酸カルシウム粉が、２．０〜４．０μｍの粒子サイズを有する、請求項１３に記載の方法。
【請求項２８】
該リン酸カルシウム粉が、０．０５〜０．５０μｍの結晶サイズを有する結晶から構成される、請求項１３又は１４に記載の方法。
【手続補正２】
【補正対象書類名】明細書
【補正対象項目名】００１０
【補正方法】変更
【補正の内容】
【００１０】
第１の局面において、本発明は、０．１〜１．５０μｍの範囲の平均のグレイン（grain）サイズを有し、０．１〜１．５０μｍのサイズ範囲のミクロ孔を有する多孔性（以下、多孔度ともいう）および１０〜４０％の範囲のミクロ孔の表面積百分率を有する多孔性骨誘導性リン酸カルシウム物質を提供する。
【手続補正書】
【提出日】平成21年12月25日(2009.12.25)
【手続補正１】
【補正対象書類名】特許請求の範囲
【補正対象項目名】全文
【補正方法】変更
【補正の内容】
【特許請求の範囲】
【請求項１】
患者へ個々の小容量錠剤を舌下投与するための分配装置であって、
（ａ）複数の個々の錠剤または錠剤のスタックで満たされたカートリッジであって、装填力が該複数の個々の錠剤または複数の錠剤に付与され、そして各個々の錠剤が、口腔粘膜に付着して舌下領域にとどまるように設計され、そして該患者から唾液の応答を引き出すことがほとんど、または全くないように充分に小さい、カートリッジ；
（ｂ）被験体の舌下空間に分配するための分配端を有するハウジング；および
（ｃ）ロックアウト特徴；
を備える、分配装置。
【請求項２】
前記分配端が、シール、ワイパー、吸収剤、吸着剤、乾燥剤、およびエアギャップのうちの１つ以上を備える、唾液の進入を防止するかまたは遅らせる手段を備える請求項１に記載の分配装置。
【請求項３】
前記ロックアウト特徴が投薬の間の固定のロックアウトを有する、請求項１または２に記載の分配装置。
【請求項４】
前記ロックアウト間隔が、約２０分の固定の時間間隔である請求項１〜３のいずれか１項に記載の分配装置。
【請求項５】
前記錠剤がスフェンタニルを含む、請求項１〜３のいずれか１項に記載の分配装置。
【請求項６】
前記カートリッジアセンブリが、洗練されたカートリッジ認識システムを備える請求項１〜３または５のいずれか１項に記載の分配装置。
【請求項７】
前記カートリッジ認識システムが、前記カートリッジ上の物理的なキーの特徴（ｐｈｙｓｉｃａｌ  ｋｅｙｅｄ  ｆｅａｔｕｒｅ）、該カートリッジ上のバーコード、該カートリッジ上の磁気タグ、該カートリッジ上のＲＦＩＤタグ、該カートリッジ上の電子マイクロチップによって達成できるか、あるいは該分配カートリッジの他の何らかの機械的、物理的、またはこれらの組み合わせを含む、請求項６に記載の分配装置。
【請求項８】
患者識別手段をさらに備える、請求項１〜３または５〜７のいずれか１項に記載の分配装置。
【請求項９】
前記患者識別手段が、指紋読み取り器、光学網膜読み取り器、音声認識、無線識別（ＲＦＩＤ）読み取り器、Ｗｉ−Ｆｉ、またはこれらの組み合わせである請求項８に記載の分配装置。
【請求項１０】
前記患者識別手段が、識別される前記患者の一致するＲＦＩＤタグと結び付けられるように構成された無線識別（ＲＦＩＤ）読み取り器である請求項９に記載の分配装置。
【請求項１１】
前記分配装置の前記ＲＦＩＤ読み取り器が前記患者に一致するＲＦＩＤタグを検出する場合に、該分配装置のロックが解除される、請求項１０に記載の分配装置。
【請求項１２】
前記分配装置が、押し棒、前記カートリッジを該分配装置からの排出口または出口に接続するトラックまたは通路、あるいは該分配装置の出口の１つ以上のシールをさらに備える、請求項１〜３、または５〜１１のいずれか１項に記載の分配装置。
【請求項１３】
前記分配装置が、許可されていない人物による該分配装置または内部に含まれる錠剤の盗難または改竄を防止または遅延するための綱をさらに備える、請求項１〜３または５〜１２のいずれか１項に記載の分配装置。
【請求項１４】
疼痛の処置において使用するための、請求項１〜３または５〜１３のいずれか１項に記載の分配装置。
【請求項１５】
前記疼痛が急性痛、術後痛、または突出痛である、請求項１４に記載の分配装置。
【手続補正書】
【提出日】平成22年1月25日(2010.1.25)
【手続補正１】
【補正対象書類名】特許請求の範囲
【補正対象項目名】全文
【補正方法】変更
【補正の内容】
【特許請求の範囲】
【請求項１】
ハウジングと、
ハウジング内に配置される光学エンジンと、
ハウジング内に配置されるビデオゲーム用システムと、を備え、
前記光学エンジンは、前記ビデオゲーム用システムによって生成される像を投影する、ゲーム用投影システム。
【請求項２】
ビデオゲーム用システムは、光学エンジンによって観察表面上に投影される像を生成し、
投影像のサイズは、ゲーム用投影システムが観察表面から約０．５メートル以下である場合、少なくとも約４０インチ（１０２ｃｍ）（対角線）である、請求項１に記載のゲーム用投影システム。
【請求項３】
光学エンジンは、照明システムと、像形成システムと、広角投影レンズとを備え、
広角投影レンズは、像側から順番に下記コンポーネントを備え、
・少なくとも１つの非球面を有する、負の屈折力の第１のレンズ群、
・第２のレンズ群、
・正の屈折力の第３のレンズ群、
下記条件（１）〜（４）を満たす請求項２に記載のゲーム用投影システム。
｜Ｆ１／Ｆ｜≧４．５              条件（１）
２．５≦｜Ｆ２／Ｆ｜≦６．０      条件（２）
３．８≦｜Ｆ３／Ｆ｜≦５．０      条件（３）
０．８≦ＢＦＬ／Ｆ≦１．４      条件（４）
式中、Ｆは、広角投影レンズの焦点距離であり、Ｆ１は、第１のレンズ群の焦点距離であり、Ｆ２は、第２のレンズ群の焦点距離であり、Ｆ３は、第３のレンズ群の焦点距離であり、ＢＦＬは、後方焦点距離である。
【請求項４】
光学エンジンは、照明システムと、像形成システムと、広角投影レンズとを備え、
広角投影レンズは、像側から順番に下記コンポーネントを備え、
・少なくとも１つの非球面を有する、負の屈折力の第１のレンズ群、
・第２のレンズ群、
・正の屈折力の第３のレンズ群、
下記条件（１）〜（４）を満たす請求項２に記載のゲーム用投影システム。
１．３≦｜Ｆ１／Ｆ｜≦２．０      条件（１）
｜Ｆ２／Ｆ｜≧４．０              条件（２）
３．８≦｜Ｆ３／Ｆ｜≦５．０      条件（３）
０．８≦ＢＦＬ／Ｆ≦１．４      条件（４）
式中、Ｆは、広角投影レンズの焦点距離であり、Ｆ１は、第１のレンズ群の焦点距離であり、Ｆ２は、第２のレンズ群の焦点距離であり、Ｆ３は、第３のレンズ群の焦点距離であり、ＢＦＬは、後方焦点距離である。
【請求項５】
ハウジングと、
ハウジング内に配置される光学エンジンと、
デジタル画像プレーヤを受けるように構成されたドッキングポートとを備え、
前記光学エンジンは、前記デジタル画像プレーヤによって生成される像を投影する、デジタル画像プレーヤ投影システム。
【手続補正書】
【提出日】平成22年1月14日(2010.1.14)
【手続補正１】
【補正対象書類名】特許請求の範囲
【補正対象項目名】全文
【補正方法】変更
【補正の内容】
【特許請求の範囲】
【請求項１】
ａ．処理される細胞の一群を提供する工程；
ｂ．細胞を試験物質と共にインキュベートする工程；
ｃ．群内の細胞の画像を取得する工程；
ｄ．画像を解析して、細胞の機能分類を示す細胞の特徴を測定または検出する工程；
ｅ．少なくとも６つの細胞の特徴を含む応答プロフィールを作成する工程；
ｆ．試験物質の応答プロフィールを、既知の生物学的システム効果を伴う物質についての応答プロフィールのデータベースと比較する工程であって、試験物質の応答プロフィールと、既知の生物学的システム効果を伴う物質についての応答プロフィールのデータベースとの間の関連性の程度が、試験物質が生きている細胞、組織または生命体内で生物学的システム効果を発揮するであろう可能性を示す工程
を含む、試験物質の生物学的システム効果を予測するための方法。
【請求項２】
前記細胞の特徴が、細胞増殖、ストレス経路、オルガネラの機能、細胞周期の状態、形態、アポトーシス、DNAの損傷、代謝、シグナル伝達、細胞の分化および細胞−細胞の相互作用からなる群より選択される２つ以上の細胞の機能分類を示す、請求項１に記載の方法。
【請求項３】
前記細胞の特徴が、細胞増殖、細胞周期、アポトーシス、酸化的ストレス、ストレスキナーゼの活性化、ミトコンドリアの機能、DNAの損傷およびペルオキシソームの増殖からなる群より選択される２つ以上の機能的な応答の分類を示す、請求項１に記載の方法。
【請求項４】
前記細胞の特徴が、６つ以上の細胞の機能分類を示す、請求項１に記載の方法。
【請求項５】
前記細胞の特徴が、ストレス経路の活性化、オルガネラの機能、細胞周期、形態、アポトーシスおよびDNAの損傷を含む６つ以上の機能的な応答の分類を示す、請求項４に記載の方法。
【請求項６】
前記細胞の特徴が、細胞周期、アポトーシス、細胞骨格、神経毒性、DNAの損傷および転写因子の活性化を含む６つ以上の機能的な応答の分類を示す、請求項４に記載の方法。
【請求項７】
ａ．処理される細胞の一群を提供する工程；
ｂ．細胞を第一の参照物質と共にインキュベートする工程；
ｃ．群内の細胞の画像を取得する工程；
ｄ．画像を解析して、細胞の機能分類を示す細胞の特徴を測定または検出する工程；
ｅ．少なくとも６つの細胞の特徴を含む応答プロフィールを作成する工程；
ｆ．第一の参照物質についての応答プロフィールをデータベースに追加する工程；および
ｇ．必要に応じて、第一の参照物質の代わりに第二の参照物質を用いて、工程ａ〜ｆを繰り返す工程
を含む、既知の生物学的システム効果を伴う参照物質についての応答プロフィールのデータベースを構築するための方法。
【請求項８】
画像を取得する前に、細胞が一つ以上の蛍光レポーターまたは発光レポーターを含む、請求項１〜７のいずれかに記載の方法。
【請求項９】
細胞が一つ以上の蛍光レポーターまたは発光レポーターを発現する、請求項８に記載の方法。
【請求項１０】
一つ以上の蛍光レポーターまたは発光レポーターが細胞内に導入される、請求項８に記載の方法。
【請求項１１】
細胞の機能分類を示す細胞の特徴を標的とする一つ以上の蛍光レポーターまたは発光レポーターで標識した後に、細胞の画像を取得する、請求項１〜１０のいずれかに記載の方法。
【請求項１２】
レポーター分子が、蛍光標識、蛍光タンパク質、発光標識およびバイオセンサーからなる群より選択される、請求項８〜１１のいずれかに記載の方法。
【請求項１３】
画像を取得する前に、細胞が一つ以上の操作を含む、請求項１〜１２のいずれかに記載の方法。
【請求項１４】
ａ．各化合物についての各化合物の濃度における各特徴の測定値について、細胞集団の変化の基準としてKolmogorov-Smirnov値または平均値等のパラメーターを計算し、希釈列についてのパラメーターを生じさせる工程、
ｂ．4-パラメーターのロジスティックフィットを利用して、かかる希釈列パラメーターを適合させる工程、
ｃ．得られた適合データを解析してEC50値を算出する工程、
ｄ．化合物活性の基準としてEC50値を対数尺度に変換する工程、
ｅ．クラスター解析を利用して、プロフィールの類似性および細胞システムの応答間の関連性を同定する工程
を含む、特徴の測定値からプロフィールが構築される、請求項１〜１３のいずれかに記載の方法。
【請求項１５】
一つ以上の試薬、ならびに細胞の一群をアッセイするための試薬を用いるためのおよび細胞の機能分類を示す少なくとも６つの細胞の特徴を含む応答プロフィールを作成するための指示書を含むキットであって、一つ以上の試薬が、細胞の機能的な分類を示す少なくとも６つの細胞の特徴を検出するための試薬を含む、キット。
【請求項１６】
６つ以上の細胞の機能分類を示す少なくとも６つの細胞の特徴を含む、請求項１５に記載のキット。
【請求項１７】
請求項７に記載の方法に従って構築されたデータベース。
【請求項１８】
クラスター解析を含む方法を用いて、特徴が応答プロフィールに組み合わされる、請求項１〜１４のいずれかに記載の方法。
【請求項１９】
処理される細胞の群が、２つ以上の細胞のタイプを含む、請求項１〜１４のいずれかに記載の方法。
【手続補正書】
【提出日】平成21年12月10日(2009.12.10)
【手続補正１】
【補正対象書類名】特許請求の範囲
【補正対象項目名】全文
【補正方法】変更
【補正の内容】
【特許請求の範囲】
【請求項１】
ワイヤレス通信システムであって、
サービング・ゲートウェイと、
前記サービング・ゲートウェイと通信するホーム・エージェントと、
登録要求を受信し、ＴＬＶ要求を含むハンドオフ要求を前記サービング・ゲートウェイに伝達するターゲット・ゲートウェイと、
を備えており、
前記サービング・ゲートウェイは、前記要求されたＴＬＶを含むハンドオフ応答を伝達し、前記ゲートウェイ間においてパケット・フローを開始し、
前記ホーム・エージェントは、前記ターゲット・ゲートウェイへの通信をスイッチングする、ワイヤレス通信システム。
【請求項２】
請求項１記載のシステムにおいて、前記ホーム・エージェントは、プロキシ・モバイル・インターネット・プロトコル（ＰＭＩＰ）を用いて、前記ターゲット・ゲートウェイと通信する、システム。
【請求項３】
請求項１記載のシステムにおいて、前記ゲートウェイは、パケット・データ・サービング・ノード（ＰＤＳＮ）、パケット・データ相互作動機能（ＰＤＩＦ）、およびアクセス・サービス・ネットワーク・ゲートウェイ（ＡＳＮＧＷ）のうち少なくとも１つである、システム。
【請求項４】
請求項１記載のシステムにおいて、更に、前記サービング・ゲートウェイおよび前記ターゲット・ゲートウェイが、無線アクセス・ネットワーク、基地局、およびアクセス・ネットワークのうち少なくとも１つと統合される、システム。
【請求項５】
請求項１記載のシステムであって、更に、前記サービング・ゲートウェイおよび前記ターゲット・ゲートウェイは、用途特定ＴＬＶを含む包括的プロトコル・メッセージ・フォーマットを用いて通信する、システム。 
【請求項６】
請求項１記載のシステムであって、更に、前記ターゲット・ゲートウェイおよび前記サービング・ゲートウェイの間で形成され、Ａ１０接続にマップされるＧＲＥトンネルを備えている、システム。
【請求項７】
ターゲット・ゲートウェイにおいてサービング・ゲートウェイのアドレスを受信するステップと、
ＴＬＶを含むハンドオフ要求を前記サービング・ゲートウェイに送るステップと、
前記ターゲット・ゲートウェイにおいてＴＬＶを含むハンドオフ応答を受信するステップと、
前記ハンドオフ応答において受信したＴＬＶコンテキスト情報を初期化するステップと、
前記サービング・ゲートウェイから前記ターゲット・ゲートウェイにトンネルをスイッチするために、前記ターゲット・ゲートウェイからホーム・エージェントにメッセージを送るステップと、
を備えている、方法。
【請求項８】
請求項７記載の方法であって、更に、プロキシ・モバイル・インターネット・プロトコル（ＰＭＩＰ）を用いて、前記ターゲット・ゲートウェイおよび前記ホーム・エージェントの間で通信を行うステップを備えている、方法。
【請求項９】
請求項７記載の方法であって、更に、コンテキスト情報を伝達するための用途特定ＴＬＶを含む包括的プロトコル・メッセージ・フォーマットを供給するステップを備えている、方法。
【請求項１０】
請求項９記載の方法であって、更に、ＧＲＥキーＴＬＶ、ユーザＩＤ ＴＬＶ、ＩＰＣＰ状態ＴＬＶ、ＰＭＩＰｖ６移動状態ＴＬＶ、およびＱｏＳ状態ＴＬＶのうち少なくとも１つを供給するステップを備えている、方法。
【請求項１１】
請求項７記載の方法であって、更に、前記ＴＬＶコンテキスト情報を初期化した後、前記サービング・ゲートウェイから前記ターゲット・ゲートウェイにパケット処理をスイッチするステップを備えている、方法。
【請求項１２】
請求項７記載の方法であって、更に、前記ターゲット・ゲートウェイおよび前記サービング・ゲートウェイの間において、Ａ１０接続にマップした１つ以上のＧＲＥトンネルを設けるステップを備えている、方法。
【請求項１３】
請求項７記載の方法であって、更に、高速ハンドオフ（ＦＨＯ）インターフェースを通じて、移動局向けのセッションを維持するステップを備えている、方法。
【請求項１４】
ワイヤレス通信システムであって、
サービング・アクセス・ネットワークと、
前記サービング・アクセス・ネットワークと通信し、ＴＬＶ要求を含むハンドオフ要求を前記サービング・アクセス・ネットワークに伝達する、ターゲット・アクセス・ネットワークと、
前記ターゲット・アクセス・ネットワークへの通信をスイッチングするホーム・エージェントとを備えており、
前記サービング・アクセス・ネットワークは、前記要求されたＴＬＶを含むハンドオフ応答を伝達し、前記サービング・アクセス・ネットワークおよび前記ターゲット・アクセス・ネットワークの間のパケット・フローを開始し、
前記ターゲット・アクセス・ネットワークは、前記サービング・アクセス・ネットワークから受信したコンテキストをインストールし、パケット処理を行う、ワイヤレス通信システム。
【請求項１５】
請求項１４記載のシステムにおいて、前記アクセス・ネットワークは、パケット・データ・サービング・ノード（ＰＤＳＮ）、パケット・データ相互作動機能（ＰＤＩＦ）、ゲートウェイＧＰＲＳサービス・ノード（ＧＧＳＮ）、アクセス・ゲートウェイ、ＩＰゲートウェイ、およびアクセス・サービス・ネットワーク・ゲートウェイ（ＡＳＮＧＷ）のうち少なくとも１つと統合される、システム。
【請求項１６】
ワイヤレス通信システムであって、
移動局に対しておよび移動局からの通信を提供するサービング手段と、
移動局に対しておよび移動局からの通信を提供するターゲット手段であって、ＴＬＶ要求を含むハンドオフ要求を前記サービング手段に伝達するターゲット手段と、
前記ターゲット手段への通信をスイッチングするホーム・エージェントを設ける手段と、を備えており、
前記サービング手段は、前記要求されたＴＬＶを含むハンドオフ応答を伝達し、前記サービング手段および前記ターゲット手段の間のパケット・フローを開始し、
前記ターゲット手段は、前記サービング手段から受信したコンテキストをインストールし、パケット処理を行う、ワイヤレス通信システム。
【手続補正書】
【提出日】平成22年1月21日(2010.1.21)
【手続補正１】
【補正対象書類名】特許請求の範囲
【補正対象項目名】全文
【補正方法】変更
【補正の内容】
【特許請求の範囲】
【請求項１】
半導体素子の作製方法であって：
絶縁層の上に設けられた半導体層をパターニングして第1活性領域及び第2活性領域を形成する工程であって、前記第1活性領域の高さは前記第2活性領域とは異なり、前記第1活性領域の少なくとも一部は低濃度ドープされていて、かつ前記第2活性領域の少なくとも一部は高濃度ドープされている、工程；
前記第1活性領域の上部と側部及び前記第2活性領域の少なくとも一部にわたってゲート構造を形成する工程であって、チャネル領域は、前記ゲート構造に隣接する、前記の第1活性領域の上部と側部に沿って設けられる、工程；並びに
前記ゲート構造の形成後、前記半導体素子の第1面からのみ前記第2活性領域の一部を除去して前記絶縁層を曝露する工程；
を有する方法。
【請求項２】
前記の半導体素子の一面が前記ゲート構造のドレイン側である、請求項1に記載の方法。
【請求項３】
前記第1活性領域をマスクする工程；及び
前記第2活性領域へ注入を実行する工程；
をさらに有する、請求項2に記載の方法。
【請求項４】
シリサイド領域を形成する工程をさらに有する方法であって、
前記シリサイド領域は、前記第1面とは異なる前記半導体素子の第2面上に存在して前記ゲート構造の下に位置していない前記第1活性領域の一部を、前記第2面上に存在して前記ゲート構造の下に位置していない前記2活性領域の一部と接続し、
前記第1活性領域は該第1活性領域の側壁間であって前記チャネル領域の外側でかつ前記ゲート構造の下にボディ領域を有し、
前記シリサイド領域は、前記ボディ領域と前記第2面上に存在して前記ゲート構造の下に存在しない前記第1活性領域の一部との間の接続を供し、かつ
前記シリサイド領域は、前記第2面上に存在して前記ゲート構造の下に位置していない前記第2活性領域の一部を貫通して、下に存在する前記絶縁層にまで延在する、
請求項3に記載の方法。
【請求項５】
前記半導体層をパターニングする工程が、前記第2活性領域に隣接する第3活性領域、及び前記第3活性領域に隣接する第4活性領域を形成する工程をさらに有し、
前記第2活性領域は前記第1活性領域と第3活性領域との間に存在し、
前記第3活性領域は前記第2活性領域と第4活性領域との間に存在し、
前記ゲート構造を形成する工程が、前記第3及び第4活性領域にわたって前記ゲート構造を形成する工程を有し、
前記ゲート構造の下に存在する前記第1及び第3活性領域の一部は同一の高さ及び伝導型を有し、かつ
前記ゲート構造の下に存在する前記第2及び第4活性領域の一部は同一の高さ及び伝導型を有する、
請求項4に記載の方法。
【手続補正書】
【提出日】平成22年1月29日(2010.1.29)
【手続補正１】
【補正対象書類名】特許請求の範囲
【補正対象項目名】全文
【補正方法】変更
【補正の内容】
【特許請求の範囲】
【請求項１】
遠隔的に設定可能な職員のいる施設用のワイヤレスインターカムシステムであって、
広域コミュニケーションネットワークに接続可能な基地局と、
前記基地局と双方向ワイヤレスコミュニケーションを行う複数個のヘッドセットを備え、
前記複数個のヘッドセットの各々と基地局との間の前記ワイヤレスコミュニケーションが少なくとも１つのパラメータを用いて設定可能であり、
前記少なくとも１つのパラメータが前記施設の前記職員により調整可能であり、
前記少なくとも１つのパラメータが前記広域コミュニケーションネットワークを通じて遠隔的に点検可能および遠隔的に調整可能なワイヤレスインターカムシステム。
【請求項２】
遠隔的に設定可能な職員のいる施設用のワイヤレスインターカムシステムであって、
広域コミュニケーションネットワークに接続可能な基地局と、
前記基地局と双方向ワイヤレスコミュニケーションを行う複数個のヘッドセットを備え、
前記複数個のヘッドセットの各々と基地局との間の前記ワイヤレスコミュニケーションが少なくとも１つのパラメータを用いて設定可能であり、
少なくとも１つのパラメータが前記広域コミュニケーションネットワークを通じて遠隔的に点検可能であり、
前記少なくとも１つのパラメータが前記広域コミュニケーションネットワークを通じて遠隔的に初期化可能なワイヤレスインターカムシステム。
【請求項３】
職員がおり、広域コミュニケーションネットワークに接続可能な基地局を有し、前記基地局と双方向ワイヤレスコミュニケーション状態にある複数のヘッドセットを有する施設に、遠隔的に設定可能なワイヤレスインターカムシステムを供給する方法であって、
前記複数個のヘッドセットの各々と前記基地局との間のワイヤレスコミュニケーションを設定する工程と、
少なくとも１つのパラメータを前記広域コミュニケーションネットワークを通じて遠隔的に点検する工程と、
前記複数個のパラメータに不良な状態が存在するかどうか遠隔的に決定する工程と、
前記広域コミュニケーションネットワークを通じて前記少なくとも１つのパラメータを所定の値に初期化する工程を含む、方法。
【手続補正書】
【提出日】平成22年1月20日(2010.1.20)
【手続補正１】
【補正対象書類名】特許請求の範囲
【補正対象項目名】全文
【補正方法】変更
【補正の内容】
【特許請求の範囲】
【請求項１】
以下の化合物：下記一般式（Ｉ）：
【化１】
2009526844.tif 000001
［式（Ｉ）中、
Ｒ１は、一つ又は二つのフッ素原子によって置換されるフェニル基を表し；
Ａ１は、（ＣＨ２）ｍ又は（ＣＨ２）ｍ−１Ｃ（＝Ｏ）で表される基（式中、ｍは２、３、４又は５である。）を表し；
Ａ２は、（ＣＨ２）ｎ又はＣ（＝Ｏ）（ＣＨ２）ｎ−１で表される基（式中、ｎは２、３、４又は５である。）を表し；及び、
Ｒ２は、炭素数１〜２のアルキレンジオキシ基、ハロゲン原子、ヒドロキシ、シアノ、炭素数１〜４のアルキル基、炭素数３〜６のシクロアルキル基、炭素数１〜４のハロアルキル基、炭素数１〜４のアルコキシ基、アルコキシ（炭素数１〜４）アルコキシ（炭素数１〜４）基、炭素数１〜４のヒドロキシアルコキシ基、炭素数１〜４のアルキルスルファニル基、炭素数１〜４のアルキルスルホニル基、炭素数１〜４のハロアルコキシ基、及び、炭素数１〜４のハロアルキルスルホニル基から独立に選択される一つ、二つ若しくは三つの置換基を有するか又は無置換のフェニル基を表す。］で示されるか；又は医薬的に許容されるその塩、ただし、
Ａ１及びＡ２がそれぞれ（ＣＨ２）２を表す場合、Ｒ１及びＲ２は、ともに４−フルオロフェニルではない。
【請求項２】
Ｒ１が、２−フルオロフェニル、３−フルオロフェニル、４−フルオロフェニル又は２，４−ジフルオロフェニルを表す請求項１記載の化合物。
【請求項３】
ｍが、２又は３である請求項１又は２記載の化合物。
【請求項４】
ｍが、２である請求項３記載の化合物。
【請求項５】
Ａ１が、（ＣＨ２）ｍを表す請求項１〜４のいずれか記載の化合物。
【請求項６】
ｎが、２又は３である請求項１〜５のいずれか記載の化合物。
【請求項７】
Ａ２が、（ＣＨ２）ｎを表す請求項１〜６のいずれか記載の化合物。
【請求項８】
Ｒ２が、フッ素原子、シアノ、炭素数１〜４のフルオロアルキル基、炭素数１〜４のアルキルスルホニル基、炭素数１〜４のフルオロアルコキシ基、及び、炭素数１〜４のフルオロアルキルスルホニル基から独立に選択される一つ又は二つの置換基を有するフェニル基を表す請求項１〜７のいずれか記載の化合物。
【請求項９】
Ｒ２が２−フルオロフェニル、４−フルオロフェニル、３−シアノフェニル、４−シアノフェニル、３−トリフルオロメチルフェニル、４−トリフルオロメチルフェニル、３−メチルスルホニルフェニル、４−メチルスルホニルフェニル、３−トリフルオロメチルスルホニルフェニル、又は、４−トリフルオロメチルスルホニルフェニルである請求項８記載の化合物。
【請求項１０】
Ｒ２が２−フルオロフェニル又は４−フルオロフェニルである請求項９記載の化合物。
【請求項１１】
ａ）下記一般式（ＩＩ）：
【化２】
2009526844.tif 000002
（式（ＩＩ）中、Ｚ１及びＺ２は独立に、脱離原子又は脱離基を表す。）で表される化合物又はＲ２上の一つ若しくはそれより多い置換基が保護されている対応する化合物を、下記一般式（ＩＩＩ）：
【化３】
2009526844.tif 000003
で表される化合物と反応させるか；
ｂ）下記一般式（ＩＶ）：
【化４】
2009526844.tif 000004
（式（ＩＶ）中、Ｚ３及びＺ４は独立に、脱離原子又は脱離基を表す。）で表される化合物を、下記一般式（Ｖ）：
【化５】
2009526844.tif 000005
で表される化合物又はＲ２上の一つ若しくはそれより多い置換基が保護されている対応する化合物と反応させるか；
ｃ）下記一般式（ＶＩ）：
【化６】
2009526844.tif 000006
で表される化合物を、下記一般式（ＶＩＩ）：
【化７】
2009526844.tif 000007
（式（ＶＩＩ）中、Ｚ５は脱離原子又は脱離基を表す。）で表される化合物と反応させるか；
ｄ）下記一般式（ＶＩＩＩ）：
【化８】
2009526844.tif 000008
で表される化合物を、下記一般式（ＩＸ）：
【化９】
2009526844.tif 000009
（式（ＩＸ）中、Ｚ６は脱離原子又は脱離基を表す。）で表される化合物と反応させるか；又は、
ｅ）式（Ｉ）中、Ａ１が（ＣＨ２）ｍで表され、Ａ２が（ＣＨ２）ｎで表される化合物にあっては、Ａ１が（ＣＨ２）ｍ−１Ｃ（＝Ｏ）で表されるか及び／又はＡ２がＣ（＝Ｏ）（ＣＨ２）ｎ−１で表される対応する式（Ｉ）の化合物を還元し；
その後、全ての保護基を除去し、そして、必要により、医薬的に許容される塩を形成する、請求項１〜１０のいずれか記載の化合物の製造方法。
【請求項１２】
請求項１〜１０のいずれか記載の化合物と医薬的に許容される希釈剤又はキャリア剤とを含有する医薬組成物。
【請求項１３】
中枢神経疾患の治療薬である請求項１２記載の医薬組成物。
【請求項１４】
中枢神経疾患は、脳虚血、脊髄外傷、頭部外傷、多発性硬化症、アルツハイマー病、ハンチントン舞踏病、筋萎縮性側索硬化症、ＡＩＤＳにより誘起される痴呆症、筋痙攣、ひきつけ、網膜症、認知障害、特発性及び薬剤起因性パーキンソン病、遅発性ジスキネジア、精神分裂病、不安及び関連神経症、鬱病、双極性障害、精神病又は強迫神経症である請求項１３記載の医薬組成物。
【請求項１５】
中枢神経疾患は、脳梗塞、外傷性脳損傷、脊髄損傷又は多発性硬化症である請求項１３記載の医薬組成物。
【手続補正書】
【提出日】平成22年2月1日(2010.2.1)
【手続補正１】
【補正対象書類名】特許請求の範囲
【補正対象項目名】全文
【補正方法】変更
【補正の内容】
【特許請求の範囲】
【請求項１】
異常なタンパク質フォールディングおよび／もしくは凝集、ならびに／またはアミロイド形成、沈着、蓄積もしくは残存を特徴とする疾患の治療における使用のための医薬組成物であって、該疾患の治療に有益効果をもたらす治療有効量で
式Ｉ：
【化１】
2009526834.tif 000001
の１つ以上のエピ−イノシトール化合物、または配座を維持しながら１、２もしくは３個のヒドロキシル基が置換基で置換されている式Ｉの化合物、あるいはその医薬的に許容される塩と、医薬的に許容される担体、賦形剤またはビヒクルとを含む、医薬組成物。
【請求項２】
１、２または３個のヒドロキシル基が、水素、アルキル、アシル、アルケニル、シクロアルキル、アルコキシ、＝Ｏ、ハロゲン、−ＮＨＲ１（この場合、Ｒ１は、水素、アシル、アルキルまたは−Ｒ２Ｒ３であり、ここでのＲ２およびＲ３は、同じであるか異なり、アシルまたはアルキルを表す）、−ＰＯ３Ｈ２、−ＳＲ４（この場合、Ｒ４は、水素、アルキルまたは−Ｏ３Ｈである）および−ＯＲ３（この場合、Ｒ３は、水素、アルキルまたは−ＳＯ３Ｈである）によって置換されている式Ｉの化合物を含む、請求項１に記載の医薬組成物。
【請求項３】
ヒドロキシル基の１個以上が、アルキル、アシル、アルケニル、−ＮＨＲ１（この場合、Ｒ１は、水素、アシル、アルキルまたは−Ｒ２Ｒ３であり、ここでのＲ２およびＲ３は、同じであるか異なり、アシルまたはアルキルを表す）、−ＳＲ４（この場合、Ｒ４は、水素、アルキルまたは−Ｏ３Ｈである）または−ＯＲ３（この場合、Ｒ３は、水素、アルキルまたは−ＳＯ３Ｈである）で置換されている式Ｉの化合物を含む、請求項１に記載の医薬組成物。
【請求項４】
ヒドロキシル基の１個以上が、Ｃ１〜Ｃ６アルキル、Ｃ２〜Ｃ６アルケニル、Ｃ１〜Ｃ６アルコキシ、Ｃ１〜Ｃ６アシル、−ＮＨ２、またはオキソで置換されている式Ｉの化合物を含む、請求項１に記載の医薬組成物。
【請求項５】
純粋なまたは実質的に純粋なエピ−シクロヘキサンヘキソールを含む、請求項１に記載の医薬組成物。
【請求項６】
式中の１個または２個のヒドロキシル基が、＝Ｏで置換されている式Ｉの化合物を含む、請求項１に記載の医薬組成物。
【請求項７】
２位のヒドロキシル基が＝Ｏで置換されている式Ｉの化合物を含む、請求項１に記載の医薬組成物。
【請求項８】
純粋なまたは実質的に純粋なエピ−２−イノソーゼを含む、請求項７に記載の医薬組成物。
【請求項９】
前記化合物が、該化合物と相互作用する担体を含む、請求項１〜８のいずれか１項に記載の医薬組成物。
【請求項１０】
前記化合物が、プロドラッグの形態であり、切断可能な基を含み、該基は、対象への投与後に切断されて、治療に有効な化合物をもたらす、請求項１〜９のいずれか１項に記載の医薬組成物。
【請求項１１】
前記疾患が、アルツハイマー病である、請求項１〜１０のいずれか１項に記載の医薬組成物。
【請求項１２】
（ｉ）治療後に持続的有益効果をもたらすための；
（ｉｉ）タンパク質フォールディングもしくは凝集、またはアミロイド形成、沈着、蓄積もしくは残存の異常に関連した中枢もしくは末梢神経系または全身器官の状態の治療における使用のための；
（ｉｉｉ）アミロイド形成、沈着、蓄積および／もしくは残存を阻害するための、および／または既存アミロイドの溶解／破壊を生じさせるための；
（ｉｖ）アルツハイマー病に罹患している患者においてアルツハイマー病の進行の改善またはより重症度が低い病期の達成における使用のための；
（ｖ）対象におけるアルツハイマー病の進行を遅延させる際の使用のための；
（ｖｉ）アルツハイマー病に罹患している対象の生存を増加させる際の使用のための；
（ｖｉｉ）対象における軽度認知障害（ＭＣＩ）の治療における使用のための；あるいは
（ｖｉｉｉ）記憶を損なわせるかまたは別様に低下させることが知られている疾病、疾患、虚弱または病気と診断されていない、記憶を改善する必要がある哺乳動物を治療するための；
請求項１〜１１のいずれか一項に記載の医薬組成物。
【請求項１３】
請求項１〜１２のいずれか１項に記載の式Ｉのエピ−イノシトール化合物またはニュートラシューティカル的に許容されるその誘導体、および許容される担体をヒトに投与することによる、健常対象の食事を補うためのレジメン。
【請求項１４】
異常なタンパク質フォールディングもしくは凝集またはアミロイド形成、沈着、蓄積もしくは残存を特徴とする疾病を治療するための薬物の調製のための、請求項１〜１２のいずれか１項に記載の医薬組成物または式Ｉのエピ−イノシトール化合物の使用。
【請求項１５】
異常なタンパク質フォールディングもしくは凝集またはアミロイド形成、沈着、蓄積もしくは残存を特徴とする疾病を予防および／または治療するための請求項１〜１２のいずれか１項に記載の式Ｉの１つ以上のエピ−イノシトール化合物と、容器と、使用説明書とを含むキット。